(57)【要約】【目的】  使用者が任意のタイミングで歌唱力の採点結果を知ることができるようにすると共に、その場の雰囲気を盛り上げるように採点結果を出力できるようにする。【構成】  コマンダ１５が、演奏データに基づいて演奏音楽を再生し、その演奏データに対応する映像データと歌詞データとに基づいて映像と歌詞を再生し、その演奏音楽に合わせて発せられる音声を入力し、その入力された音声のテンポ，リズム，音程，及び総合歌唱力を演奏データに基づいて採点し、リモコンから任意のタイミングで採点指示が入力されたとき、上記採点処理を起動させる採点モードに移行し、上記採点処理によって得られた採点結果に応じた映像及び音声を出力する。【選択図】        図１
2004151740.tif 000002
【特許請求の範囲】
【請求項１】
演奏データに基づいて演奏音楽を再生する演奏音楽再生手段と、前記演奏データに対応する映像データと歌詞データとに基づいて映像と歌詞を再生する映像・歌詞再生手段と、前記演奏音楽に合わせて発せられる音声を入力する音声入力手段と、該手段によって入力された音声に基づいて歌唱力を採点する採点手段と、
前記採点手段によって得られた採点結果に応じた映像又は音声を出力する採点結果出力手段とを備えたことを特徴とする音楽映像再生装置。
【請求項２】
請求項１記載の音楽映像再生装置において、
前記採点結果出力手段に、前記採点結果を示す人物映像を異ならせる手段を設けたことを特徴とする音楽映像再生装置。
【請求項３】
請求項１記載の音楽映像再生装置において、
前記採点結果出力手段に、前記演奏音楽再生手段による演奏音楽の予め割り当てられている曲番号に応じて前記採点結果を示す人物映像を異ならせる手段を設けたことを特徴とする音楽映像再生装置。
【請求項４】
請求項１記載の音楽映像再生装置において、
前記採点結果出力手段に、前記音声入力手段による入力音声に応じて前記採点結果を示す人物映像を異ならせる手段を設けたことを特徴とする音楽映像再生装置。
【請求項５】
請求項１乃至４のいずれか一項に記載の音楽映像再生装置において、
前記採点結果出力手段に、前記採点結果を示す人物映像の数又は動きを異ならせる手段を設けたことを特徴とする音楽映像再生装置。
【請求項６】
請求項１乃至５のいずれか一項に記載の音楽映像再生装置において、
前記採点結果出力手段に、前記曲種類，曲番号，又は音声に応じた吹き出しを出力する手段を設けたことを特徴とする音楽映像再生装置。
【請求項７】
請求項１記載の音楽映像再生装置において、
前記採点結果出力手段に、前記演奏音楽再生手段による演奏音楽の曲種類毎に前記採点結果を示す人物映像を異ならせる第１手段と、
前記演奏音楽再生手段による演奏音楽の予め割り当てられている曲番号に応じて前記採点結果を示す人物映像を異ならせる第２手段と、
前記音声入力手段による入力音声に応じて前記採点結果を示す人物映像を異ならせる第３手段と、
前記採点結果を示す人物映像の数又は動きを異ならせる第４手段と、
前記曲種類，曲番号，又は音声に応じた吹き出しを出力する第５手段と、
前記第１〜５手段のいずれかを任意に組み合わせて起動させる手段とを設けたことを特徴とする音楽映像再生装置。
【請求項８】
前記採点結果を示す人物映像を異ならせる手段が、前記採点結果の点数の高低に応じて人物の数を増減させる手段であることを特徴とする請求項２記載の音楽映像再生装置。
【発明の詳細な説明】
【技術分野】
【０００１】
この発明は、演奏音楽と共にその演奏音楽に対応する映像及び歌詞を出力し、その演奏音楽に合わせて歌唱させる音声を集音して出力するパーソナルコンピュータ，カラオケ装置，通信カラオケ装置等の音楽映像再生装置に関する。
【背景技術】
【０００２】
近年、カラオケボックス等の施設の普及と共に、ホストコンピュータに蓄積された多種類の曲データを通信回線を介して取得して再生する通信カラオケ装置等の音楽映像再生装置が多用されている。
このような音楽映像再生装置では、使用者の歌唱音声に基づいてその使用者の歌唱力を採点する機能を備えたものが有った。
【発明の開示】
【発明が解決しようとする課題】
【０００３】
しかしながら、上述のような音楽映像再生装置では、使用者が１曲全部を歌い終わらないと採点結果が表示されないので、使用者が演奏途中でも好きなときに採点結果を知ることができないという問題が有った。
また、歌唱力の採点結果の数値を表示するだけなので、その場を盛り上げるような雰囲気を作り出せないという問題も有った。
【０００４】
この発明は上記の点に鑑みてなされたものであり、演奏中でも使用者に歌唱力の採点結果を知らせることができるようにすると共に、その場の雰囲気を盛り上げるように採点結果を出力できるようにすることを目的とする。
【課題を解決するための手段】
【０００５】
この発明は上記の目的を達成するため、演奏データに基づいて演奏音楽を再生する演奏音楽再生手段と、上記演奏データに対応する映像データと歌詞データとに基づいて映像と歌詞を再生する映像・歌詞再生手段と、上記演奏音楽に合わせて発せられる音声を入力する音声入力手段と、その手段によって入力された音声に基づいて歌唱力を採点する採点手段と、上記採点手段によって得られた採点結果に応じた映像又は音声を出力する採点結果出力手段を備えた音楽映像再生装置を提供する。
【０００６】
また、上記採点結果出力手段に、上記採点結果を示す人物映像を異ならせる手段を設けるとよい。
【０００７】
さらに、上記採点結果出力手段に、上記演奏音楽再生手段による演奏音楽の予め割り当てられている曲番号に応じて上記採点結果を示す人物映像を異ならせる手段を設けるとよい。
【０００８】
また、上記採点結果出力手段に、上記音声入力手段による入力音声に応じて上記採点結果を示す人物映像を異ならせる手段を設けるとよい。
【０００９】
さらに、上記採点結果出力手段に、上記採点結果を示す人物映像の数又は動きを異ならせる手段を設けるとよい。
【００１０】
また、上記採点結果出力手段に、上記曲種類，曲番号，又は音声に応じた吹き出しを出力する手段を設けるとよい。
【００１１】
さらに、上記採点結果出力手段に、上記演奏音楽再生手段による演奏音楽の曲種類毎に上記採点結果を示す人物映像を異ならせる第１手段と、上記演奏音楽再生手段による演奏音楽の予め割り当てられている曲番号に応じて上記採点結果を示す人物映像を異ならせる第２手段と、上記音声入力手段による入力音声に応じて上記採点結果を示す人物映像を異ならせる第３手段と、上記採点結果を示す人物映像の数又は動きを異ならせる第４手段と、上記曲種類，曲番号，又は音声に応じた吹き出しを出力する第５手段と、上記第１〜５手段のいずれかを任意に組み合わせて起動させる手段を設けるとよい。
また、上記採点結果を示す人物映像を異ならせる手段を、上記採点結果の点数の高低に応じて人物の数を増減させる手段にするとよい。
【００１２】
この発明による音楽演奏再生装置によれば、演奏中でも使用者に歌唱力の採点結果を知らせることができ、その採点結果によって場の雰囲気を盛り上げるように採点結果を出力できる。
【発明を実施するための最良の形態】
【００１３】
以下、この発明を実施するための最良の形態を図面に基づいて具体的に説明する。
図２は、この発明の一実施形態であるカラオケ端末装置を用いた通信カラオケシステムの構成を示す図である。
この通信カラオケシステムは、ホストコンピュータ１と複数台のカラオケ端末装置２とがＩＳＤＮ公衆網等の通信網３を介してデータ通信可能に接続されている。
【００１４】
ホストコンピュータ１には、最新曲を含む多種類の曲データが蓄積されており、ニュースや天気予報等のサービス情報も蓄積しており、複数の回線とのインタフェースを介して各カラオケ端末装置２へ曲データ及びサービス情報の配信を行なう。例えば、新曲の登録時に自動的に各カラオケ端末装置２へ新曲の曲データを配信したり、各カラオケ端末装置２からのリクエストされた曲データを配信したり、その際にサービス情報も合わせて配信したりする。
【００１５】
図１は、カラオケ端末装置２の構成を示す図である。
カラオケ端末装置２は、このカラオケ端末装置の中核装置であるコマンダ１５にホストコンピュータ１に対するカラオケ曲のリクエストの送信と、ホストコンピュータ１から配信される曲データ及びサービス情報を受信するデータ通信を行なう通信網３が接続されている。
【００１６】
また、カラオケ曲の演奏時に背景映像と歌詞を表示し、必要に応じてサービス情報を表示し、この発明に係る採点モード時の映像等を表示する（ＴＶ）モニタ１１と、使用者がカラオケ曲の演奏に合わせて歌唱音声を集音して入力するマイク１０とを接続している。
【００１７】
さらに、それぞれに複数種類の背景映像データを記録したレーザディスク，ＤＶＤ，ＶＣＤ等の多数枚のメディアを収納し、チェンジャによって各メディアをプレーヤにセットし、演奏するカラオケ曲に対応する背景映像を再生してコマンダ１５へ出力する音響映像再生装置１３と、コマンダ１５によって再生したカラオケ曲の演奏音楽とマイク１０からの歌唱音声を増幅及びミキシングしてスピーカ１２へ出力するアンプ１４を接続している。
【００１８】
さらにまた、使用者がカラオケ曲を選曲したり、通常モード，採点モード，オーナーモード，ユーザモードを切り替え操作したりするリモコン１６を備えている。
そして、コマンダ１５は、ＣＰＵ，ＲＯＭ，及びＲＡＭ等からなるマイクロコンピュータを備えており、この装置全体の制御を司り、この発明に係る各種の処理を実行する。
【００１９】
なお、図示を省略したＴＶアンテナも接続し、コマンダ１５へＴＶ映像信号を受信して入力することもできる。
また、上記アンプ１４は、カラオケ曲の演奏の合間にはＢＧＭ等の音声切り替え機能等も備えている。
さらに、図示を省略した電話機等の通信機器を接続し、コマンダ１５によって通信網３を介して他所の電話機との通話やデータ通信を可能にする。
【００２０】
図３は、コマンダ１５の内部構成を示すブロック図である。
網インタフェース部２８は、ＩＳＤＮ公衆網等の通信網３とのインタフェース部であり、ＩＴＵ勧告に基づいてＤＳＵと接続されている。例えば、基本ＩＳＤＮ網の場合、６４Ｋｂｐｓの伝送速度を持つＢチャネルが２本と、主に呼制御を行なうＤチャネルが１本を使用できる。
【００２１】
呼制御部２７がＩＴＵ勧告に基づいてＤチャネルのデータを処理して発信及び着信等の処理を行なう。ホストコンピュータ１と接続した後は、通信プロトコル部２９によって所定のプロトコルに従ってホストコンピュータ１との間でＢチャネルによる曲データ（ＭＩＤＩデータ，歌詞データ等からなる情報）とサービス情報（ニュース，天気予報などの情報）を受信する。
【００２２】
ＲＯＭ２２は、電源部２６による電源が立ち上がった時点で起動するブート用システムプログラムを格納している。
ＲＡＭ２３は、ＲＯＭ２２及び記憶装置２４のプログラムのワークエリア等に使用する。
【００２３】
記憶装置２４は、この発明に係る各種の制御プログラム，曲データ，その曲データ中の歌詞データによって参照されるフォントデータ等を記憶する磁気ディスク装置である。すなわち、ホストコンピュータ１から配信された新曲の曲データは通信プロトコル部２９を介してこの記憶装置２４に記憶される。
【００２４】
操作インタフェース部２５は、使用者が各種の操作入力を行なうフロントパネルである。例えば、カラオケ音楽の選曲の為の曲番号を入力するテンキー，演奏音のボリューム調整キー，演奏開始のスタートキー，リクエスト取消しキー，ＴＶ機能選択キー等を備えている。
【００２５】
また、現在のリクエスト状況等の各種の情報を表示するＬＣＤ，ＬＥＤ等のディスプレイも備えている。
さらに、リモコン１６とのインタフェースを備えており、リモコン１６からの赤外線による通常モード，採点モード，オーナーモード，ユーザモードを切り替え操作等の各種の操作情報を入力してシステム制御部２１へ通知する。
【００２６】
電源部２６は、この装置全体に適切な電力を供給する。システムバスは、上記各部間のデータのやり取りのためのインタフェースである。
さらに、図示を省略した電話インタフェース部によってＩＳＤＮの２つのＢチャネルのうちの一方を接続し、網インタフェース部２８から受信した音声データをデジタルからアナログへ変換し、図示を省略した電話機へ送り、電話機から受信したアナログ音声をデジタル信号に変換し、網インタフェース部２８を介して通信網３へ送出する。
なお、上記Ｂチャネルのもう一方はホストコンピュータ１とのデータ通信用に確保している。
【００２７】
このカラオケ端末装置２のシステム制御部２１は、操作インタフェース部２５によってリモコン１６からのカラオケ曲のリクエストの曲番号を受信すると、記憶装置２４から曲番号に対応する曲データを検索し、対応する曲データがなければ通信網３を介して上述した手順でホストコンピュータ１から曲データを受信する。
【００２８】
また、対応する曲データがあれば、その曲データを解析し、カラオケ音楽の再生と映像及び歌詞の再生を実行する。
曲データは、カラオケ音楽を再生するＭＩＤＩデータと、カラオケ音楽の歌詞を表示する歌詞データと、カラオケ演奏中に背景映像として表示する映像データ（動画データ，静止画データ）を参照するデータ等からなる。
【００２９】
映像と歌詞表示は、音響映像再生装置インタフェース部３５によって音響映像再生装置１３から映像データを参照するデータに基づいて該当する映像データを取得して画面制御部３０のビデオＲＡＭに展開し、文字・フォント制御部３１によって記憶装置２４から歌詞データに基づくフォントデータを取り出して画面制御部３０のビデオＲＡＭの映像上に重ね合わせて展開し、その映像と歌詞をモニタ１１に表示する。また、演奏音楽の進行と共に歌唱部分を色替え表示で示す制御が行なわれる。
【００３０】
一方、カラオケ音楽の演奏は、ＭＩＤＩ音源制御部３２の音源によってＭＩＤＩデータを再生し、その音楽信号を電子ボリューム部３６を介してアンプ１４へ出力し、マイク１０から集音した歌唱音声を音声入力部３７で受信し、その音声信号を音声エフェクト部３３によって各種の音声加工を施す。
例えば、男声を女声に、あるいは女声を男声に加工するボイスチェンジや、音声をダブって出力するダブり加工を行なう。
【００３１】
音声エフェクト部３３で所定の加工が施された音声信号をＭＩＤＩ音源制御部３２から電子ボリューム部３６を介してアンプ１４へ出力する。
そして、アンプ１４は、カラオケ音楽信号と音声信号とを増幅してミキシングしてスピーカ１２から出力する。
【００３２】
そして、上記システム制御部２１，ＭＩＤＩ音源制御部３２等が演奏データに基づいて演奏音楽を再生する演奏音楽再生手段の機能を果たし、上記システム制御部２１，音響映像再生装置１３，文字・フォント制御部３１等が上記演奏データに対応する映像データと歌詞データとに基づいて映像と歌詞を再生する映像・歌詞再生手段の機能を果たす。
【００３３】
また、上記マイク１０等が上記演奏音楽に合わせて発せられる音声を入力する音声入力手段の機能を果たし、上記システム制御部２１等が音声入力手段によって入力された音声を上記演奏データに基づいて採点する採点手段の機能を果たす。
【００３４】
そして、上記システム制御部２１等が、上記採点手段によって得られた採点結果に応じた映像又は音声を出力する採点結果出力手段の機能を果たす。
【００３５】
また、上記システム制御部２１等は、上記演奏音楽再生手段による演奏音楽の曲種類毎に上記採点結果を示す人物映像を異ならせる手段と、上記採点結果の点数の高低に応じて人物の数を増減させる手段と、上記演奏音楽再生手段による演奏音楽の予め割り当てられている曲番号に応じて上記採点結果を示す人物映像を異ならせる手段と、上記音声入力手段による入力音声に応じて上記採点結果を示す人物映像を異ならせる手段と、上記採点結果を示す人物映像の数又は動きを異ならせる手段と、上記曲種類，曲番号，又は音声に応じた吹き出しを出力する手段の機能を果たす。
【００３６】
さらにまた、上記システム制御部２１等は、上記演奏音楽再生手段による演奏音楽の曲種類毎に上記採点結果を示す人物映像を異ならせる第１手段と、上記演奏音楽再生手段による演奏音楽の予め割り当てられている曲番号に応じて上記採点結果を示す人物映像を異ならせる第２手段と、上記音声入力手段による入力音声に応じて上記採点結果を示す人物映像を異ならせる第３手段と、上記採点結果を示す人物映像の数又は動きを異ならせる第４手段と、上記曲種類，曲番号，又は音声に応じた吹き出しを出力する第５手段と、上記第１〜５手段のいずれかを任意に組み合わせて起動させる手段の機能を果たす。
【００３７】
図１２及び図１３はリモコン１６の操作パネルを示す図である。
通常モードのとき、リモコン１６の採点キー６０が入力されると、システム制御部２１は採点手段を起動させる採点モードに移行し、再び入力されると、採点モードから通常モードへ戻す。
【００３８】
図４は曲データのフォーマットの一例を示す図、図５はその曲種類の一例の一覧を示す図である。
システム制御部２１は、マイク１０から入力された音声のテンポ，リズム，音程，及び総合歌唱力を演奏データに基づいて採点して採点結果を求めた後、この曲データに基づいてカラオケ音楽の曲種類を判別し、その曲種類に応じて採点結果の人物映像を変化させて表示する。図１９〜３０にその出力処理と出力例を示す。
【００３９】
図６は、曲番号の一覧を示す図である。
システム制御部２１は、マイク１０から入力された音声のテンポ，リズム，音程，及び総合歌唱力を演奏データに基づいて採点して採点結果を求めた後、この予め曲番号毎に割り振られたジャンル情報を参照し、そのジャンル情報に応じて採点結果の人物映像を変化させて表示する。図１９〜３０にその出力処理と出力例を示す。
【００４０】
図７はシステム制御部２１における採点ロジックの機能構成を示す図である。
採点時は、マイク１０から入力された歌声信号を音量／音程測定器４０によってその音量と音程を測定し、音量レベル信号を音量比較器４１へ送って基準になる標準音量レベル信号と比較し、その音量差分信号を出力する。一方、音程レベル信号を音程比較器４２へ送って基準による標準音程レベル信号と比較し、その音程差分信号を出力する。そして、その音量差分信号と音程差分信号とに基づいてテンポ，リズム，音程，音量等の採点結果を求める。
【００４１】
図８は、上記採点結果に基づいてこの発明による採点結果の人物映像を変化させて表示する機能部の構成を示す図であり、この３０，３２，５０〜５５の各部によってその処理を実行する。
図９は、リモコン１６が出力する操作信号の一例を示す図である。
【００４２】
図１０及び図１１は曲テーブルのフォーマットの一例を示す図である。
システム制御部２１は、マイク１０から入力された音声のテンポ，リズム，音程，及び総合歌唱力を演奏データに基づいて採点して採点結果を求めた後、この曲テーブルに基づいて採点結果の人物映像を変化させて表示する。図１９〜３０にその出力処理と出力例を示す。
【００４３】
図１４乃至図１８は、採点結果の映像中に表示又は音声出力する吹き出しの一例を示す図である。
システム制御部２１は、演奏音楽の曲種類毎に採点結果を示す人物映像を異ならせる制御処理と、演奏音楽の予め割り当てられている曲番号に応じて採点結果を示す人物映像を異ならせる制御処理と、入力音声に応じて採点結果を示す人物映像を異ならせる制御処理と、採点結果を示す人物映像の数又は動きを異ならせる制御処理と共に、曲種類，曲番号，又は音声に応じた吹き出し文字列又は音声を出力する制御処理を行なう。図１９〜３０にその出力処理と出力例を示す。
【００４４】
さらに、リモコン１６に予め設けられたユーザモードキーとオーナーモードキーに、演奏音楽の曲種類毎に採点結果を示す人物映像を異ならせる第１制御処理と、演奏音楽の予め割り当てられている曲番号に応じて採点結果を示す人物映像を異ならせる第２制御処理と、入力音声に応じて採点結果を示す人物映像を異ならせる第３制御処理と、採点結果を示す人物映像の数又は動きを異ならせる第４制御処理と、曲種類，曲番号，又は音声に応じた吹き出し文字列又は音声を出力する第５制御処理とのいずれかを任意に組み合わせて登録する。
そして、システム制御部２１は、ユーザモードキー又はオーナーモードキーの入力を検知すると、そのキーに登録された制御処理を起動させる。
【００４５】
この音楽映像再生装置によれば、演奏中でも演奏時以外でも採点機能を任意のタイミングで使用することができる。また、多様な且つ動きの有る人物映像による採点結果の表示ができるので、その場の雰囲気を楽しく盛り上げる効果を有する。さらに、使用者が採点結果の表示パターンを任意に選択できるので、ユーザニーズに応じた映像効果を提供することができる。
【図面の簡単な説明】
【００４６】
【図１】図２に示したカラオケ端末装置の構成を示す図である。
【図２】この発明の一実施形態であるカラオケ端末装置を用いた通信カラオケシステムの構成を示す図である。
【図３】図２に示したコマンダの内部構成を示すブロック図である。
【図４】曲データのフォーマットの一例を示す図である。
【図５】曲データ中の曲種類の一例の一覧を示す図である。
【図６】曲番号の一覧を示す図である。
【図７】図３に示したシステム制御部における採点ロジックの機能構成を示す図である。
【００４７】
【図８】図７で示した採点結果に基づいてこの発明による採点結果の人物映像を変化させて表示する機能部の構成を示す図である。
【図９】図３に示したリモコンが出力する操作信号の一例を示す図である。
【図１０】曲テーブルのフォーマットの一例を示す図である。
【図１１】同じく曲テーブルのフォーマットの一例を示す図である。
【図１２】図３に示したリモコンの操作パネルを示す図である。
【図１３】同じく図３に示したリモコンの操作パネルを示す図である。
【図１４】採点結果の映像中に表示又は音声出力する吹き出しの一例を示す図である。
【００４８】
【図１５】同じく吹き出しの一例を示す図である。
【図１６】また同じく吹き出しの一例を示す図である。
【図１７】さらに同じく吹き出しの一例を示す図である。
【図１８】さらにまた同じく吹き出しの一例を示す図である。
【図１９】この発明に係る採点結果表示のときの映像，音声出力処理と出力例を示す説明図である。
【図２０】図１９の続きを示す説明図である。
【図２１】同じく図１９の続きを示す説明図である。
【００４９】
【図２２】また同じく図１９の続きを示す説明図である。
【図２３】さらに同じく図１９の続きを示す説明図である。
【図２４】また同じく図１９の続きを示す説明図である。
【図２５】さらに同じく図１９の続きを示す説明図である。
【図２６】また同じく図１９の続きを示す説明図である。
【図２７】さらに同じく図１９の続きを示す説明図である。
【図２８】また同じく図１９の続きを示す説明図である。
【図２９】さらに同じく図１９の続きを示す説明図である。
【図３０】さらにまた同じく図１９の続きを示す説明図である。
【符号の説明】
【００５０】
１：ホストコンピュータ    ２：カラオケ端末装置    ３：通信網    １０：マイク    １１：モニタ    １２：スピーカ    １３：音響映像再生装置    １４：アンプ    １５：コマンダ    ２１：システム制御部    ２２：ＲＯＭ    ２３：ＲＡＭ    ２４：記憶装置    ２５：操作インタフェース部    ２６：電源部    ２７：呼制御部    ２８：網インタフェース部    ２９：通信プロトコル部    ３０：画面制御部    ３１：文字・フォント制御部    ３２：ＭＩＤＩ音源制御部    ３３：音声エフェクト部    ３４：ＴＶチューナ部    ３５：音響映像再生装置インタフェース部    ３６：電子ボリューム部    ３７：音声入力部    ３８：画面分割制御部    ４０：音量／音程測定器    ４１：音量比較器    ４２：音程比較器    ５０：フロントパネル    ５１：フロントパネル制御部    ５２：採点制御部    ５３：音演奏制御部    ５４：映像表示ドライバ    ５５：音演奏ドライバ    ６０：採点キー
【図１】
2004151740.tif 000003
【図２】
2004151740.tif 000004
【図３】
2004151740.tif 000005
【図４】
2004151740.tif 000006
【図５】
2004151740.tif 000007
【図６】
2004151740.tif 000008
【図７】
2004151740.tif 000009
【図８】
2004151740.tif 000010
【図９】
2004151740.tif 000011
【図１０】
2004151740.tif 000012
【図１１】
2004151740.tif 000013
【図１２】
2004151740.tif 000014
【図１３】
2004151740.tif 000015
【図１４】
2004151740.tif 000016
【図１５】
2004151740.tif 000017
【図１６】
2004151740.tif 000018
【図１７】
2004151740.tif 000019
【図１８】
2004151740.tif 000020
【図１９】
2004151740.tif 000021
【図２０】
2004151740.tif 000022
【図２１】
2004151740.tif 000023
【図２２】
2004151740.tif 000024
【図２３】
2004151740.tif 000025
【図２４】
2004151740.tif 000026
【図２５】
2004151740.tif 000027
【図２６】
2004151740.tif 000028
【図２７】
2004151740.tif 000029
【図２８】
2004151740.tif 000030
【図２９】
2004151740.tif 000031
【図３０】
2004151740.tif 000032